(57)【要約】【課題】関心が持たれた時期に基づいて所定の時代や記憶を想起させるためのコンテンツを提供することが可能なデータ生成装置、コンテンツ再生装置および記憶媒体を提供する。【解決手段】コンテンツを特定するコンテンツ特定部と、前記コンテンツ特定部により特定されたコンテンツに対して関心が持たれた時期を推定する時期推定部と、前記時期推定部により推定された時期をメタデータとして前記コンテンツに関連付けるメタデータ生成部と、を備える、データ生成装置。【選択図】図１
2014142876.tif 000002
【特許請求の範囲】
【請求項１】
コンテンツを特定するコンテンツ特定部と、
前記コンテンツ特定部により特定されたコンテンツに対して関心が持たれた時期を推定する時期推定部と、
前記時期推定部により推定された時期をメタデータとして前記コンテンツに関連付けるメタデータ生成部と、
を備える、データ生成装置。
【請求項２】
前記時期推定部は、世間一般または個人の関心が示される情報に基づいて、前記時期を推定する、請求項１に記載のデータ生成装置。
【請求項３】
前記世間一般または個人の関心が示される情報は、ランキング情報、再生回数情報、記録回数情報、再生時間情報、記録時間情報、放送時間情報、閲覧回数情報、雑誌掲載回数情報、ニュース情報、ライフログ情報、視聴履歴情報、または購入記録情報の少なくともいずれかである、請求項２に記載のデータ生成装置。
【請求項４】
前記時期推定部は、所定のランキング情報に基づいて、前記コンテンツに対して世間一般が関心を持った時期を推定する、請求項１に記載のデータ生成装置。
【請求項５】
前記時期推定部は、特定のユーザのコンテンツ視聴履歴、コンテンツ記録履歴、ライフログ、または購入履歴の少なくともいずれかに基づいて、前記コンテンツに対して当該ユーザが関心を持った時期を推定する、請求項１に記載のデータ生成装置。
【請求項６】
前記メタデータ生成部は、前記関心が持たれた時期が新たに推定された場合、第２の関心が持たれた時期として前記コンテンツに関連付ける、請求項１〜５のいずれか１項に記載のデータ生成装置。
【請求項７】
第１のコンテンツを特定するコンテンツ特定部と、
前記第１のコンテンツに対応する時期を特定する時期特定部と、
関心が持たれた時期が関連付けられた第２のコンテンツのうち、前記時期特定部により特定された時期と重複する時期が関連付けられている前記第２のコンテンツを抽出するコンテンツ抽出部と、
前記コンテンツ抽出部により抽出された前記第２のコンテンツを再生するコンテンツ再生部と、
を備える、コンテンツ再生装置。
【請求項８】
前記コンテンツ再生部は、前記第１のコンテンツと前記第２のコンテンツを共に再生する、請求項７に記載のコンテンツ再生装置。
【請求項９】
前記時期特定部は、前記第１のコンテンツに対応する時期として、前記第１のコンテンツが取得、発売、または開催された時期を特定する、請求項７または８に記載のコンテンツ再生装置。
【請求項１０】
前記第２のコンテンツには、所定のランキング情報、記録回数情報、再生回数情報、再生時間情報、記録時間情報、閲覧回数情報、雑誌掲載回数情報、またはニュース情報の少なくともいずれかに基づいて、当該第２のコンテンツに対して世間一般が関心を持った時期がメタデータとして関連付けられている、請求項７〜９のいずれか１項に記載のコンテンツ再生装置。
【請求項１１】
前記第２のコンテンツには、特定のユーザのコンテンツ視聴履歴、コンテンツ記録履歴、ライフログ、または購入履歴の少なくともいずれかに基づいて、当該第２のコンテンツに対して当該ユーザが関心を持った時期がメタデータとして関連付けられている、請求項７〜９のいずれか１項に記載のコンテンツ再生装置。
【請求項１２】
コンピュータを、
コンテンツを特定するコンテンツ特定部と、
前記コンテンツ特定部により特定されたコンテンツに対して関心が持たれた時期を推定する時期推定部と、
前記時期推定部により推定された時期をメタデータとして前記コンテンツに関連付けるメタデータ生成部と、
として機能させるためのプログラムが記憶された記憶媒体。
【請求項１３】
コンピュータを、
第１のコンテンツを特定するコンテンツ特定部と、
前記第１のコンテンツに対応する時期を特定する時期特定部と、
関心が持たれた時期が関連付けられた第２のコンテンツのうち、前記時期特定部により特定された時期と重複する時期が関連付けられている前記第２のコンテンツを抽出するコンテンツ抽出部と、
前記コンテンツ抽出部により抽出された前記第２のコンテンツを再生するコンテンツ再生部と、
として機能させるためのプログラムが記憶された記憶媒体。
【発明の詳細な説明】
【技術分野】
【０００１】
本開示は、データ生成装置、コンテンツ再生装置、および記憶媒体に関する。
【背景技術】
【０００２】
近年、音楽、映画、写真、ニュース記事等の様々なコンテンツが電子化され、大量に生成されている。このような大量のコンテンツの取り扱いに関して、下記特許文献１では、時間情報をメタデータとして含むコンテンツを、コンテンツ取得要求に含まれる時間情報および付随情報に基づいて検索し、検索したコンテンツを端末に送出するコンテンツ提供システムが開示されている。
【０００３】
また、下記特許文献２では、時間情報を含む多様なメタデータを扱うメディアコンテンツ記述をサポートするアーキテクチャを提供する技術が開示されている。
【０００４】
また、下記特許文献３では、複数の画像からスライドショー形式の画像を生成する際に、スライドショーの内容やユーザの嗜好に合ったＢＧＭを含めたスライドショー形式の画像を生成する技術が開示されている。
【先行技術文献】
【特許文献】
【０００５】
【特許文献１】特開２００７−１１９２８号公報
【特許文献２】特開２００３−３４８５５９号公報
【特許文献３】特開２００６−２３５９０５号公報
【発明の概要】
【発明が解決しようとする課題】
【０００６】
しかしながら、上記いずれの特許文献においても、世間一般がコンテンツに関心を持った時期（コンテンツが流行した時期）を示す時間情報をコンテンツに関連付けることについては言及されていない。
【０００７】
例えば、上記特許文献１では、映画や音楽といったコンテンツのリリース日や上映日時が時間情報の属性とする旨が記載されている。また、上記特許文献２では、データが受け取られた日時や、メディアコンテンツ内で描かれる年を示すデータが、時間情報としてメタデータに含まれる旨が記載されている。
【０００８】
一方、上記特許文献３では、楽曲データのヘッダに記述されているヒットチャートのランクに基づいて、所定の年代のヒット曲をスライドショーのＢＧＭリストとして生成する旨が記載されている。しかしながら、特許文献３では、楽曲データ以外のコンテンツにおける流行時期の取得方法や、個人が関心を持っていた時期の推定等については何ら記載がない。
【０００９】
そこで、本開示では、関心が持たれた時期に基づいて所定の時代や記憶を想起させるためのコンテンツを提供することが可能な、新規かつ改良されたデータ生成装置、コンテンツ再生装置、および記憶媒体を提案する。
【課題を解決するための手段】
【００１０】
本開示によれば、コンテンツを特定するコンテンツ特定部と、前記コンテンツ特定部により特定されたコンテンツに対して関心が持たれた時期を推定する時期推定部と、前記時期推定部により推定された時期をメタデータとして前記コンテンツに関連付けるメタデータ生成部と、を備えるデータ生成装置を提案する。
【００１１】
本開示によれば、第１のコンテンツを特定するコンテンツ特定部と、前記第１のコンテンツに対応する時期を特定する時期特定部と、関心が持たれた時期が関連付けられた第２のコンテンツのうち、前記時期特定部により特定された時期と重複する時期が関連付けられている前記第２のコンテンツを抽出するコンテンツ抽出部と、前記コンテンツ抽出部により抽出された前記第２のコンテンツを再生するコンテンツ再生部と、を備えるコンテンツ再生装置を提案する。
【００１２】
本開示によれば、コンピュータを、コンテンツを特定するコンテンツ特定部と、前記コンテンツ特定部により特定されたコンテンツに対して関心が持たれた時期を推定する時期推定部と、前記時期推定部により推定された時期をメタデータとして前記コンテンツに関連付けるメタデータ生成部と、として機能させるためのプログラムが記憶された記憶媒体を提案する。
【００１３】
本開示によれば、コンピュータを、第１のコンテンツを特定するコンテンツ特定部と、前記第１のコンテンツに対応する時期を特定する時期特定部と、関心が持たれた時期が関連付けられた第２のコンテンツのうち、前記時期特定部により特定された時期と重複する時期が関連付けられている前記第２のコンテンツを抽出するコンテンツ抽出部と、前記コンテンツ抽出部により抽出された前記第２のコンテンツを再生するコンテンツ再生部と、として機能させるためのプログラムが記憶された記憶媒体を提案する。
【発明の効果】
【００１４】
以上説明したように本開示によれば、関心が持たれた時期に基づいて所定の時代や記憶を想起させるためのコンテンツを提供することが可能となる。
【図面の簡単な説明】
【００１５】
【図１】本開示の一実施形態によるコンテンツ提供システムの概要を説明するための図である。
【図２】第１の実施形態によるコンテンツ提供システムの全体構成の一例を示す図である。
【図３】第１の実施形態によるスマートフォンの内部構成の一例を示すブロック図である。
【図４】第１の実施形態によるデータ生成サーバの内部構成例を示すブロック図である。
【図５】第１の実施形態によるメタデータ生成の動作処理を示すフローチャートである。
【図６】第１の実施形態による再生制御の第１の動作処理を示すフローチャートである。
【図７】第１の実施形態による再生制御の第２の動作処理を示すフローチャートである。
【図８】第１の実施形態による仮想空間提供例を説明するための図である。
【図９】第２の実施形態によるコンテンツ提供の概要を説明するための図である。
【図１０】第２の実施形態によるスマートフォンの内部構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、説明は以下の順序で行うものとする。
１．本開示の一実施形態によるコンテンツ提供システムの概要
２．各実施形態
２−１．第１の実施形態
２−１−１．スマートフォンの内部構成例
２−１−２．データ生成サーバの内部構成例
２−１−３．動作処理
２−１−４．補足
２−２．第２の実施形態
３．まとめ
【００１８】
＜＜１．本開示の一実施形態によるコンテンツ提供システムの概要＞＞
まず、本開示の一実施形態によるコンテンツ提供システムの概要について、図１を参照して説明する。
【００１９】
図１は、本開示の一実施形態によるコンテンツ提供システムの概要を説明するための図である。図１に示すように、本実施形態によるスマートフォン１は、表示部１３、操作入力部１４、および表示部１３が設けられている面と反対側の面に設けられているスピーカ１５を有する。操作入力部１４は、図１に示すように、表示部１３と一体化して設けられた、表示画面への操作入力を検出するタッチパネルであってもよいし、表示部１３と別体に設けられた物理的なボタンであってもよい。
【００２０】
表示部１３には、ユーザ操作に応じて様々なコンテンツ、例えば写真、映画、ニュース記事等が表示される。ここで、ユーザが昔の写真や映画、ニュース記事等を閲覧している際に、その写真を撮影した頃、映画が公開された頃、ニュース記事が掲載された頃等に流行していた音楽を聴くと、当時の記憶が呼び起され、臨場感や懐かしさが増すという傾向がある。
【００２１】
例えば２０１３年現在に、ユーザがスマートフォン１で２００８年のニュース記事画面Ｐ１を閲覧した際に、スマートフォン１がスピーカ１５から２００８年のヒットソングＱ１を再生すると、ユーザは２００８年当時の記憶が蘇り、臨場感や懐かしさが増す効果がある。また、さらに過去に遡り、ユーザが２００４年のニュース記事画面Ｐ２を閲覧している際にも、スマートフォン１がスピーカ１５から２００４年のヒットソングＱ２を再生すると、同様にユーザは２００４年当時の記憶が蘇り、臨場感や懐かしさが増す効果がある。
【００２２】
また、当時の記憶を想起させ、臨場感や懐かしさを増すことができるコンテンツは上述した音楽に限らない。例えば、当時流行していたファッション、商品、玩具等の画像、当時流行していたゲーム、ドラマ、映画、小説、ニュース記事のタイトル、当時流行していた遊びの名称や流行語等の映像や文字のコンテンツによっても、当時の記憶が想起され得る。
【００２３】
ここで、音楽や映画、ファッション、玩具等の様々なコンテンツが流行していた時期とは、コンテンツ生成後、世間一般や個人により関心が持たれた時期であって、コンテンツのリリース日や上映公開日等の時期とは必ずしも一致しない。また、再販されたコンテンツの場合、再販日とそのコンテンツの流行時期のずれが大きく生じる場合もある。また、昔流行したコンテンツが再度流行する場合（リバイバルブーム）もあり、このような場合も、リリース日や上映公開日等の時期と、第２の流行時期のずれが大きく生じる。さらに、ユーザが所定のコンテンツに個人的に夢中になって関心を持った時期も、一般的なリリース日や上映公開日、発売日等の時期とはずれが大きく生じる場合がある。
【００２４】
上記リリース日や上映公開日等の情報はコンテンツ制作会社やコンテンツ販売会社等により決定されるものであって、コンテンツ生成時にメタデータとしてコンテンツに付与されていることも多く、一般的に取得容易である。しかし、コンテンツの流行時期は予め予想することが困難であって、通常予め付与されていない。したがって、所定の時代や記憶を想起させるためのコンテンツを提供するためには、まず、コンテンツの流行時期をメタデータとしてコンテンツに付与する仕組みが必要である。
【００２５】
そこで、本実施形態によれば、コンテンツが流行した時期（世間一般または個人の関心が持たれた時期）を推定し、推定した時期をメタデータとしてコンテンツに関連付けて生成することで、所定の時代や記憶を想起させるためのコンテンツを提供することが可能となる。
【００２６】
さらに、本実施形態によるスマートフォン１（コンテンツ再生装置）は、ユーザが視聴／選択した第１のコンテンツに対応する時期（例えば撮影日、公開日等）に基づいて、当該時期に流行していた第２のコンテンツを抽出し、再生することが可能である。この際、上述したようにメタデータとして第２のコンテンツに関連付けられた流行時期に基づいて、第２のコンテンツが抽出される。ユーザは、再生された第２のコンテンツを視聴することにより、視聴／選択した第１のコンテンツに対応する時期の記憶が想起され、臨場感や懐かしさを感じることができる。
【００２７】
以上、本開示の一実施形態によるコンテンツ提供システムの概要について説明した。なお、本実施形態では、コンテンツ再生装置の一例としてスマートフォン１を用いるが、本開示によるコンテンツ再生装置はスマートフォン１に限定されない。例えば、本実施形態によるコンテンツ再生装置は、タブレット端末、携帯電話端末、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）等の情報処理装置や、デジタルカメラ、ビデオカムコーダ、ゲーム機、電子書籍端末等であってもよい。続いて、本開示のコンテンツ提供システムについて、第１および第２の実施形態を用いて具体的に説明する。
【００２８】
＜＜２．各実施形態＞＞
＜２−１．第１の実施形態＞
図２は、第１の実施形態によるコンテンツ提供システムの全体構成を示す図である。図２に示すように、本実施形態によるコンテンツ提供システムは、スマートフォン１（コンテンツ再生装置）、およびデータ生成サーバ２を含む。
【００２９】
スマートフォン１は、無線通信により基地局４と接続し、基地局４およびネットワーク３を介してデータ生成サーバ２とデータの送受信を行う。スマートフォン１は、スマートフォン１において視聴／選択された第１のコンテンツに対応する時期に流行していたコンテンツをデータ生成サーバ２から取得し、再生する機能を有する。
【００３０】
データ生成サーバ２は、特定のコンテンツが流行していた時期を推定し、推定した時期をメタデータとしてコンテンツに関連付けて生成する機能を有する。例えば、データ生成サーバ２は、図２に示すネットワーク３上のランキングＤＢ５Ａ、再生／閲覧回数ＤＢ５Ｂ等に格納されているデータに基づいて、特定のコンテンツが流行していた時期を推定することができる。また、データ生成サーバ２は、ニュースの累計放送時間情報、流行語大賞の情報、ファッションや商品の雑誌掲載回数情報、トレンド情報会社からリリースされるニュース記事、新語・流行語を加えて編集される現代用語辞典データ等に基づいて、特定のコンテンツの流行時期を推定してもよい。さらに、データ生成サーバ２は、特定のコンテンツが録音、録画、または撮影された回数を示す記録回数情報や、録音、録画、または撮影に割かれた記録時間情報等に基づいて、特定のコンテンツの流行時期を推定してもよい。
【００３１】
ランキングＤＢ（データベース）５Ａは、コンテンツの流行時期を推定する際に用いられる様々なランキング情報を格納する記憶部である。様々なランキング情報とは、具体的には、例えば音楽、映画、書籍、ドラマ等のヒットチャートや、玩具の売上ランキング情報、重大ニュースランキング情報等である。ここで、ヒットチャートは、メジャー市場におけるヒットチャートであってもよいし、インディーズ等のマイナー市場におけるヒットチャートであってもよい。また、ランキング情報は、男女別、世代別、または国別等のランキング情報であってもよい。また、ランキング情報は、年間、月間、週間、または日間等のランキング情報であってもよい。
【００３２】
再生／閲覧回数ＤＢ（データベース）５Ｂは、ネットワーク上で提供されている音楽、映画、書籍、ドラマ、ニュース記事等の再生回数や閲覧回数の情報を格納する記憶部である。
【００３３】
以上、第１の実施形態によるコンテンツ提供システムの全体構成について説明した。次に、本実施形態によるコンテンツ提供システムに含まれるスマートフォン１およびデータ生成サーバの各内部構成例について、図３〜図４を参照して順次説明する。
【００３４】
（２−１−１．スマートフォンの内部構成例）
図３は、第１の実施形態によるスマートフォン１の内部構成例を示すブロック図である。図３に示すように、本実施形態によるスマートフォン１は、制御部１０、通信部１２、表示部１３、操作入力部１４、スピーカ１５、および記憶部１６を有する。
【００３５】
（制御部）
制御部１０は、スマートフォン１の各構成に指令を出してスマートフォン１全体を制御する。具体的には、図３に示すように、制御部１０は、第１コンテンツ特定部１１０、時期特定部１２０、抽出部１３０、および再生制御部１４０として機能する。
【００３６】
第１コンテンツ特定部１１０は、ユーザにより指定された第１のコンテンツを特定する。具体的には、第１コンテンツ特定部１１０は、現在ユーザにより視聴されているコンテンツ（例えば図１に示すニュース記事Ｐ１、Ｐ２）、またはユーザにより選択されたコンテンツ（例えば図８に示す選択項目Ｒ１）を特定する。
【００３７】
時期特定部１２０は、第１コンテンツ特定部１１０により特定された第１のコンテンツに対応する時期を特定する。第１のコンテンツに対応する時期とは、例えば第１のコンテンツが取得、公表、または開催された時期である。具体的には、第１のコンテンツが写真データの場合は撮影日、音楽データ・書籍データの場合は発売日、ドラマデータの場合は放送日、映画データの場合は上映公開日、ニュース記事データの場合はＷｅｂサイトへの掲載日、イベントの場合は開催日である。時期特定部１２０は、これらの第１のコンテンツに対応する時期を、第１のコンテンツが生成された際に第１のコンテンツに関連付けられたメタデータから抽出して特定してもよいし、ネットワーク上から取得して特定してもよい。
【００３８】
抽出部１３０は、時期特定部１２０により特定された時期に流行していた第２のコンテンツを抽出する。抽出部１３０は、ネットワーク３を介して第２のコンテンツをデータ生成サーバ２から取得してもよいし、記憶部１６から取得してもよい。記憶部１６には、データ生成サーバ２により生成されたメタデータが関連付けられた第２のコンテンツが予め記憶されている。抽出部１３０は、時期特定部１２０により特定された時期と重複する流行時期がメタデータとして関連付けられている第２のコンテンツを抽出する。
【００３９】
再生制御部１４０は、抽出部１３０により抽出された第２のコンテンツを再生するよう制御する。具体的には、再生制御部１４０は、第２のコンテンツが画像／テキストデータである場合は表示部１３により表示再生するよう制御し、第２のコンテンツがオーディオデータである場合はスピーカ１５により音声再生（オーディオ再生）するよう制御する。
【００４０】
また、再生制御部１４０は、第１のコンテンツと共に第２のコンテンツを再生するよう制御してもよい。例えば、再生制御部１４０は、第１のコンテンツであるニュース記事を表示部１３に表示し、かつ第２のコンテンツである音楽をスピーカ１５から出力してもよい。また、再生制御部１４０は、第１のコンテンツである写真を表示部１３に表示し、第２のコンテンツとして、写真撮影時に流行していたファッション、商品、玩具等の画像や、ゲーム、ドラマ、映画等のタイトル等も第１のコンテンツと共に表示部１３に表示してもよい。これにより、ユーザは、第１のコンテンツが取得等された時期に流行していた第２のコンテンツを視聴することで、当時の記憶が想起され、臨場感や懐かしさが増す。
【００４１】
さらに、再生制御部１４０は、複数の第２のコンテンツが抽出部１３０により抽出された場合、流行度合いに従って順に第２のコンテンツを再生してもよいし、ランダムに第２のコンテンツを再生してもよい。例えば、再生制御部１４０は、所定の年代のヒットチャートの第１位の音楽から順に再生するよう制御してもよい。
【００４２】
（通信部）
通信部１２は、外部装置とデータの送受信を行うためのインターフェースである。例えば通信部１２は、無線ＬＡＮ、赤外線、Ｗｉ−Ｆｉ（登録商標）、Ｂｌｕｅｔｏｏｔｈ（登録商標）等によりデータの送受信を行う。本実施形態による通信部１２は、無線通信により基地局４と接続し、さらにネットワーク３を介してデータ生成サーバ２とデータの送受信を行うことができる。
【００４３】
（表示部）
表示部１３は、操作画面、メニュー画面等の各種画面を表示する。また、本実施形態による表示部１３は、再生制御部１４０の制御に従って、画像（写真、映像）やテキスト等のコンテンツを表示再生する。
【００４４】
（操作入力部）
操作入力部１４は、ユーザによる操作入力を検出する機能を有する。操作入力部１４は、図１に示すように、表示部１３と一体化して画面に対するタッチ操作を検出するタッチパネルであってもよいし、物理的に構成されたボタンであってもよい。
【００４５】
（スピーカ）
スピーカ１５は、音声信号（オーディオ信号）を出力する音声出力部であって、アンプ回路を有していてもよい。本実施形態によるスピーカ１５は、再生制御部１４０による制御に従って、所定の音声信号を再生する。
【００４６】
（記憶部）
記憶部１６は、制御部１０が各機能を実行するための各種プログラムや、各種データファイルを格納する。また、本実施形態による記憶部１６には、第１のコンテンツおよび第２のコンテンツが格納されていてもよい。
【００４７】
以上、第１の実施形態によるスマートフォン１の内部構成例について図３を参照して詳細に説明した。
【００４８】
（２−１−２．データ生成サーバの内部構成例）
上述したように、スマートフォン１の抽出部１３０は、時期特定部１２０により特定された時期に流行していた第２のコンテンツを抽出する際、第２のコンテンツに既にメタデータとして関連付けられた流行時期に基づいて抽出する。本実施形態では、かかる流行時期がメタデータとして第２のコンテンツに関連付けられる処理がデータ生成サーバ２において予め行われている。以下、このような本実施形態によるデータ生成サーバ２の構成について、図４を参照して詳細に説明する。
【００４９】
図４は、第１の実施形態によるデータ生成サーバ２の内部構成例を示すブロック図である。図４に示すように、本実施形態によるデータ生成サーバ２は、データ生成部２０、通信部２２、およびコンテンツＤＢ２４を有する。
【００５０】
（データ生成部）
データ生成部２０は、特定のコンテンツ（第２のコンテンツ）が流行した時期をメタデータとして当該コンテンツに関連付けて生成する。具体的には、データ生成部２０は、図４に示すように、コンテンツ特定部２１０、時期推定部２３０、メタデータ生成部２５０として機能する。
【００５１】
コンテンツ特定部２１０は、流行時期を示すメタデータを生成する対象のコンテンツ（第２のコンテンツ）を特定する。コンテンツ特定部２１０は、コンテンツＤＢ２４に格納されているコンテンツを順次特定してもよいし、他の装置からのコマンドに応じてコンテンツを特定してもよいし、ネットワーク上に存在する様々なコンテンツを継続的にランダムに特定してもよい。
【００５２】
時期推定部２３０は、コンテンツ特定部２１０により特定されたコンテンツの流行時期を推定する。なお、本明細書において、コンテンツの流行時期とは、コンテンツに関心が持たれた時期を示す。また、コンテンツがニュースの場合は、流行時期を注目時期とも称す。コンテンツの流行時期は、例えばランキング情報や再生／閲覧回数情報等に基づいて推定される。時期推定部２３０は、楽曲、映像、ゲーム、ニュース、遊び、玩具、流行語、商品、ファッション等のコンテンツの流行時期や注目時期を推定する。
【００５３】
具体的には、時期推定部２３０は、楽曲、映像、ゲームが流行した時期について、ランキングＤＢ５Ａに格納されている楽曲、映像、ゲームのヒットチャートに基づき、例えば所定のヒットチャートで最高位または所定の順位以上になった時期を流行時期として推定してもよい。また、時期推定部２３０は、楽曲、映像、ゲーム等がクラウド化されている場合、再生／閲覧回数ＤＢ５Ｂに格納されている再生／閲覧回数情報に基づき、再生／閲覧回数が所定値以上であって、最も多かった時期を流行時期として推定してもよい。また、時期推定部２３０は、再生／閲覧回数が所定値を下回る場合は、流行時期なしとして、メタデータ生成の処理を終了してもよい。なお時期推定部２３０は、楽曲、映像が流行した時期について、録音、録画された回数を示す記録回数情報や、録音、録画に割かれた時間を示す記録時間情報に基づいて推定することも可能である。
【００５４】
また、時期推定部２３０は、ニュースの注目時期について、ランキングＤＢ５Ａに格納されている重大ニュースランキング情報に基づき、最高位または所定の順位以上になった時期を注目時期として推定してもよい。また、時期推定部２３０は、Ｗｅｂサイト上に掲載されたニュースの場合、再生／閲覧回数ＤＢ５Ｂに格納されている閲覧回数情報に基づき、閲覧回数が所定値以上であって、最も多かった時期を注目時期として推定してもよい。また、時期推定部２３０は、閲覧回数が所定値を下回る場合は、流行時期なしとして、メタデータ生成の処理を終了してもよい。また、時期推定部２３０は、放送されたニュースの場合、放送時間情報に基づき、当該ニュースの放送時間が所定値以上であって、最も長かった時期を注目時期として推定してもよい。さらに、時期推定部２３０は、当該ニュースのソーシャルブックマーク数が所定値以上であって、最も多かった時期を注目時期として推定してもよい。
【００５５】
また、時期推定部２３０は、子供の遊びの流行時期について、現代用語辞典データや、Ｗｅｂ検索における特定のキーワードの検索回数の変化を時間経過に沿って示すグラフ等に基づき、現代用語辞典に初めて掲載された年や検索回数が最も多い年を流行時期として推定してもよい。
【００５６】
また、時期推定部２３０は、玩具の流行時期について、ランキングＤＢ５Ａに格納されている売上ランキング情報に基づき、最高位または所定の順位以上になった時期を注目時期として推定してもよい。
【００５７】
また、時期推定部２３０は、流行語の流行時期について、各年の流行語大賞のデータに基づき、その流行語がノミネートされた年を流行時期として推定してもよい。また、時期推定部２３０は、Ｗｅｂ検索における特定のキーワードの検索回数の変化を時間経過に沿って示すグラフや、現代用語辞典に基づき、流行語の流行時期を推定してもよい。
【００５８】
また、時期推定部２３０は、商品の流行時期について、その商品の人気について放送番組で紹介された日やニュース記事に掲載された日を、流行時期として推定してもよい。また、時期推定部２３０は、商品の流行時期について、ランキングＤＢ５Ａに格納されている売上ランキング情報に基づき、最高位または所定の順位以上になった時期を注目時期として推定してもよい。
【００５９】
また、時期推定部２３０は、ファッションの流行時期について、雑誌掲載回数情報や、現代用語辞典データ、ファッショントレンド情報会社からリリースされるニュース記事等に基づいて、流行時期を推定してもよい。例えば、時期推定部２３０は、雑誌掲載回数情報に基づき、所定のファッションの雑誌掲載回数が最も多い年を流行時期として推定してもよいし、所定のファッションを示す用語が現代用語辞典データに初めて掲載された年を流行時期として推定してもよい。また、ファッションのトレンドは、業界側により所定のプロセスで予め方向付けが行われる（例えば、約２年前に流行色の方向付け、約１年半前にトレンドの方向付け、約１年前に素材の方向付け等）。したがって、時期推定部２３０は、ファッショントレンド情報会社からリリースされるニュース記事等に基づき、流行時期を算出して推定してもよい。なお時期推定部２３０は、ファッションが流行した時期について、そのファッションが撮影された回数を示す記録回数情報に基づいて推定することも可能である。
【００６０】
以上、時期推定部２３０による具体的な流行時期の推定方法について説明した。なお、時期推定部２３０は、推定を行う際に利用したデータの種別（ランキング情報か、再生／閲覧回数情報か、現在用語辞典データか等）やデータの信頼性等に基づいて、推定した流行時期に重み付けを行ってもよい。
【００６１】
メタデータ生成部２５０は、時期推定部２３０により推定された流行時期をメタデータとして特定されたコンテンツ（第２のコンテンツ）に関連付ける処理を行う。この際、メタデータ生成部２５０は、流行時期と共に、根拠としたランキング順位等もメタデータとして関連付けてもよい。また、メタデータ生成部２５０は、流行時期をメタデータとして関連付けたコンテンツをコンテンツＤＢ２４に格納する。
【００６２】
（通信部）
通信部２２は、外部装置とデータの送受信を行うためのインターフェースである。本実施形態による通信部２２は、ネットワーク３を介してスマートフォン１やランキングＤＢ５Ａ、再生／閲覧回数ＤＢ５Ｂとデータの送受信を行うことができる。
【００６３】
（コンテンツＤＢ）
コンテンツＤＢ２４は、推定された流行時期がメタデータとして関連付けられた様々なコンテンツを少なくとも格納するデータベースである。なお、図４に示す構成では、コンテンツＤＢ２４がデータ生成サーバ２に含まれる構成となっているが、本開示の構成はこれに限定されず、コンテンツＤＢ２４は外部記憶装置であってもよい。
【００６４】
以上、本実施形態によるデータ生成サーバ２の内部構成例について詳細に説明した。続いて、本実施形態によるコンテンツ提供システムの動作処理について、図５〜図７を参照して具体的に説明する。
【００６５】
（２−１−３．動作処理）
本実施形態によるコンテンツ提供システムでは、データ生成サーバ２において、コンテンツへの流行時期関連付け処理（メタデータ生成処理）が行われ、スマートフォン１において、第１のコンテンツに対応する時期に流行していた第２のコンテンツが再生制御される。以下、データ生成サーバ２で行われるメタデータ生成処理について図５を参照して説明し、スマートフォン１で行われる第２のコンテンツの再生制御処理について図６および図７を参照して説明する。
【００６６】
（メタデータ生成処理）
図５は、第１の実施形態によるメタデータ生成の動作処理を示すフローチャートである。図５に示すように、まず、ステップＳ１０３において、データ生成サーバ２のコンテンツ特定部２１０は、流行時期推定処理の対象とするコンテンツを特定する。
【００６７】
次に、ステップＳ１０６において、時期推定部２３０は、特定されたコンテンツの流行時期を推定するための情報として、ランキング情報等を取得する。
【００６８】
次いで、ステップＳ１０９において、時期推定部２３０は、取得した情報に基づき、コンテンツの流行時期を推定する。
【００６９】
続いて、ステップＳ１１２において、メタデータ生成部２５０は、コンテンツに既に流行時期が登録済み（メタデータとして関連付け済み）であるか否かを判断する。
【００７０】
次に、登録済みではない場合（Ｓ１１２／Ｎｏ）、ステップＳ１１５において、メタデータ生成部２５０は、推定された流行時期をメタデータとしてコンテンツに関連付けて生成する。
【００７１】
一方、登録済みである場合（Ｓ１１２／Ｙｅｓ）、ステップＳ１１８において、メタデータ生成部２５０は、登録変更を行うか否かを判断する。登録変更を行うか否かは、予め設定された変更可否にしたがって判断されてもよい。
【００７２】
登録変更を行わない場合（Ｓ１１８／Ｎｏ）、ステップＳ１２１において、メタデータ生成部２５０は、登録変更を行わず、メタデータ生成処理は終了する。
【００７３】
登録変更を行う場合（Ｓ１１８／Ｙｅｓ）、ステップＳ１２４において、メタデータ生成部２５０は、推定された流行時期を第２の流行時期としてメタデータに追加するよう登録変更を行う。第２の流行時期は、コンテンツの流行時期が複数ある場合に用いられる。例えば、コンテンツのリバイバルブームが起きた場合はこれにあたる。また、第３、第４の流行時期があった場合も、メタデータ生成部２５０は、同様に登録変更処理により流行時期を追加することができる。なお、既に登録されていた流行時期が誤っていたり、より正確な流行時期が入手できたりした場合、メタデータ生成部２５０は、新たな流行時期を追加登録するのではなく、新たな流行時期を上書きするよう（元々の流行時期を消去して書き換えるよう）登録変更を行う。
【００７４】
以上、本実施形態のデータ生成サーバ２によりメタデータ生成処理について説明した。上述した処理は、継続的に順次コンテンツを特定して行われてもよい。
【００７５】
（再生制御処理）
次に、本実施形態による再生制御処理について説明する。上述したように、本実施形態によるスマートフォン１は、第１のコンテンツに対応する時期に流行していた第２のコンテンツを再生制御する。ここで、第２のコンテンツが同一種別データで複数ある場合について図６を参照して説明し、また、第２のコンテンツが異なる種別データで複数ある場合について図７を参照して説明する。
【００７６】
図６は、第１の実施形態による再生制御の第１の動作処理を示すフローチャートである。図６に示すように、まず、ステップＳ１３３において、スマートフォン１の第１コンテンツ特定部１１０は、ユーザが視聴しているコンテンツ（第１のコンテンツ）を特定する。ユーザが視聴しているコンテンツとは、例えば表示部１３に表示されているコンテンツや、スピーカ１５から音声出力されているコンテンツである。
【００７７】
次いで、ステップＳ１３６において、時期特定部１２０は、特定されたコンテンツに対応する時期を特定する。例えば、時期特定部１２０は、ユーザが視聴しているニュース記事の掲載時期（図１に示す例では、ニュース記事Ｐ１に対応する時期は２００８年、ニュース記事Ｐ２に対応する時期は２００４年）を特定する。
【００７８】
次に、ステップＳ１３９において、抽出部１３０は、時期特定部１２０により特定された時期に流行していたコンテンツを抽出する。例えば、抽出部１３０は、流行時期がメタデータとして関連付けられている第２のコンテンツのうち、特定された時期と重複する時期が関連付けられている第２のコンテンツをデータ生成サーバ２のコンテンツＤＢ２４から抽出する。抽出部１３０は、図１に示す例では、特定された時期が２００８年の場合は２００８年のヒットソングＱ１、特定された時期が２００４年の場合は２００４年のヒットソングＱ２を抽出する。
【００７９】
続いて、再生制御部１４０は、抽出部１３０により抽出された第２のコンテンツを表示部１３に又はスピーカ１５から再生するよう制御する。ユーザは、第２のコンテンツを視聴することで、視聴している第１のコンテンツに対応する時期の記憶が想起され、臨場感や懐かしさを感じる。例えば、図１に示す例では、ニュース記事Ｐ１を閲覧している際に、ヒットソングＱ１を聴くと、ユーザは、ニュース記事Ｐ１の掲載時期である２００８年の記憶が想起され、臨場感や懐かしさを感じる。
【００８０】
ここで、第２のコンテンツが複数抽出された場合、再生制御部１４０はこれらを順次再生するよう制御する。具体的には、ステップＳ１４２において、再生制御部１４０は、ランキング順に再生するか否かを判断する。ランキング順に再生するか否かは、予め設定された内容にしたがって判断されてもよい。
【００８１】
次いで、ランキング順に再生すると判断された場合（Ｓ１４２／Ｙｅｓ）、ステップＳ１４５において、再生制御部１４０は、ランキングの順位に従って最高位から順に再生する。例えば、２００８年を流行時期とする音楽が複数抽出された場合、再生制御部１４０は、流行時期と共に関連付けられているヒットチャート順位や、別途取得した２００８年のヒットチャートの順位に従って再生制御する。
【００８２】
一方、ランキング順に再生しないと判断された場合（Ｓ１４２／Ｎｏ）、ステップＳ１４８において、再生制御部１４０は、複数の第２のコンテンツをランダムに再生するよう制御する。
【００８３】
以上、スマートフォン１による再生制御処理について説明した。図６に示した例では、抽出された複数の第２のコンテンツが同一種別データ、例えば音声データである場合、再生制御部１４０によりスピーカ１５から順次再生され得る。ここで、複数の第２のコンテンツが異なる種別のデータ、例えば画像／テキストデータと音声データである場合、再生制御部１４０は、表示部１３およびスピーカ１５から併せて再生することも可能である。以下、図７を参照して具体的に説明する。
【００８４】
図７は、第１の実施形態による再生制御の第２の動作処理を示すフローチャートである。図７に示すように、まず、ステップＳ１５３において、本実施形態によるスマートフォン１の第１コンテンツ特定部１１０は、ユーザが視聴しているコンテンツ（第１のコンテンツ）を特定する。
【００８５】
次いで、ステップＳ１５６において、時期特定部１２０は、特定されたコンテンツ（第１のコンテンツ）に対応する時期を特定する。
【００８６】
時期特定できない場合（Ｓ１５９／Ｎｏ）、ステップＳ１６２において、時期特定部１２０は、ユーザにより手動で入力された時期を第１のコンテンツに対応する時期として特定する。
【００８７】
続いて、ステップＳ１６５において、抽出部１３０は、特定された時期に流行していた第２のコンテンツを抽出する。
【００８８】
次に、ステップＳ１６８において、再生制御部１４０は、抽出された第２のコンテンツを音声再生するか否かを判断する。例えば、第２のコンテンツが複数抽出された場合に、音声再生可能なコンテンツ（オーディオデータ）が含まれていれば、再生制御部１４０は、音声再生すると判断する。また、第２のコンテンツが音声再生可能なコンテンツであっても、第１のコンテンツをスピーカ１５から音声再生中の場合、再生制御部１４０は、音声再生しないと判断してもよい。
【００８９】
次いで、音声再生しないと判断された場合（Ｓ１６８／Ｎｏ）、ステップＳ１７１において、再生制御部１４０は、第２のコンテンツの音声再生は行わない。
【００９０】
一方、音声再生すると判断された場合（Ｓ１６８／Ｙｅｓ）、ステップＳ１７４において、再生制御部１４０は、第２のコンテンツをスピーカ１５から音声再生するよう制御する。例えば図１に示すように、ユーザが表示部１３でニュース記事Ｐ１を閲覧している際に、スピーカ１５から２００８年のヒットソングＱ１がＢＧＭ（Ｂａｃｋｇｒｏｕｎｄ  Ｍｕｓｉｃ）として再生されると、ニュース記事Ｐ１の掲載時期である２００８年の記憶が想起される。
【００９１】
次いで、ステップＳ１７７において、再生制御部１４０は、抽出された第２のコンテンツを表示再生するか否かを判断する。例えば、第２のコンテンツが複数抽出された場合に、表示再生可能なコンテンツ（画像／テキストデータ）が含まれていれば、再生制御部１４０は、表示再生すると判断する。また、抽出された第２のコンテンツが表示再生可能なコンテンツでない場合、再生制御部１４０は、表示再生しないと判断する。
【００９２】
表示再生しないと判断された場合（Ｓ１７７／Ｎｏ）、ステップＳ１８０において、再生制御部１４０は、第２のコンテンツの表示再生は行わない。
【００９３】
一方、表示再生すると判断された場合（Ｓ１７７／Ｙｅｓ）、ステップＳ１８３において、再生制御部１４０は、第２のコンテンツを表示部１３で表示再生するよう制御する。例えば、ユーザがスピーカ１５から再生される昔の音楽（第１コンテンツ）を聴いている場合に、当該音楽の発売年に流行したファッションや遊びの画像がＢＧＶ（Ｂａｃｋｇｒｏｕｎｄ  Ｖｉｄｅｏ）として表示部１３に表示されると、当時の記憶が想起され、臨場感が増す。また、第１のコンテンツが表示部１３で表示再生されている場合、再生制御部１４０は、第２のコンテンツを第１のコンテンツに重畳表示してもよいし、第１のコンテンツと並べて表示してもよいし、バックグラウンドに表示してもよい。
【００９４】
以上説明したように、複数の第２のコンテンツが異なる種別の場合、表示部１３とスピーカ１５から併せて再生制御することが可能である（Ｓ１７４、Ｓ１８３）。これにより、第１のコンテンツに対応する時期の記憶がさらに想起され易く、また、臨場感や懐かしさがさらに増す効果がある。続いて、本実施形態によるコンテンツ提供システムの補足について説明する。
【００９５】
（２−１−４．補足）
本実施形態による第１コンテンツ特定部１１０は、ユーザが視聴しているコンテンツを第１のコンテンツとして特定する例に限定されず、例えばユーザが選択した項目を第１のコンテンツとして特定してもよい。また、本実施形態による再生制御部１４０は、抽出された１以上の第２のコンテンツに基づいて３Ｄ仮想空間を生成して表示再生してもよい。以下、図８を参照して具体的に説明する。
【００９６】
図８は、第１の実施形態による仮想空間提供例を説明するための図である。図８に示すように、スマートフォン１の表示部１３には、選択画面Ｐ３が表示されている。選択画面Ｐ３は、過去に行われたイベントの名称を示す項目、例えば「大阪万博（ＥＸＰＯ’７０）」、「東京オリンピック」といった項目を含む。
【００９７】
ユーザは選択画面Ｐ３に表示されている項目のうち、タイムスリップしたい頃をタッチして選択する。この場合、第１コンテンツ特定部１１０は、操作入力部１４により検出されたユーザの操作入力に基づいて、選択された項目を第１のコンテンツとして特定する。
【００９８】
例えば「大阪万博」の項目Ｒ１が選択された場合、第１コンテンツ特定部１１０は、「大阪万博」を第１のコンテンツとして特定する。次に、時期特定部１２０は、「大阪万博」に対応する時期として、大阪万博が開催された時期（具体的には１９７０年）を特定する。次いで、抽出部１３０は、大阪万博が開催された時期に流行していた第２のコンテンツとして、大阪万博会場の３Ｄ画像や、１９７０年代のファッションや食べ物等の画像、１９７０年代のヒットソングＱ４等を抽出する。
【００９９】
そして、再生制御部１４０は、抽出された第２のコンテンツに基づいて、図８に示すように大阪万博が開催された時代（１９７０年代）の３Ｄ仮想空間Ｐ４を生成して再生表示することで、当時の記憶を想起させ、臨場感や懐かしさをユーザに感じさせることができる。
【０１００】
また、図８に示す例では、３Ｄ仮想空間Ｐ４上に、ユーザのアバター７が表示され、ユーザはアバター７で大阪万博会場を仮想体験することができる。
【０１０１】
さらに、再生制御部１４０は、３Ｄ仮想空間Ｐ４の再生表示と共に、抽出された１９７０年のヒットソングＱ４をＢＧＭとしてスピーカ１５から再生することで、ユーザの記憶をさらに想起させ、臨場感や懐かしさを強くすることができる。
【０１０２】
以上、第１の実施形態について詳細に説明した。なお、本開示によるコンテンツ提供システムは、図２〜図４に示す構成に限定されない。例えば、スマートフォン１が、データ生成サーバ２の機能を有し、メタデータ生成処理（流行時期関連付け処理）を行ってもよい。具体的には、スマートフォン１の制御部１０が、図３に示す第１コンテンツ特定部１１０、時期特定部１２０、抽出部１３０、再生制御部１４０に加えて、図４に示すコンテンツ特定部２１０、時期推定部２３０、およびメタデータ生成部２５０として機能する。この場合、図４に示すコンテンツＤＢ２４は、スマートフォン１が有する記憶部１６に含まれる。
【０１０３】
＜２−２．第２の実施形態＞
次に、本開示による第２の実施形態について説明する。上述した第１の実施形態では、時期推定部２３０が、特定のコンテンツ（第２のコンテンツ）に対して主に世間一般が関心を持った時期を流行時期として推定していた。しかしながら、ユーザによっては、そのコンテンツに関心を持った時期（個人的に夢中になった時期）が、世間一般の流行時期とずれている場合もある。
【０１０４】
この場合、抽出部１３０により抽出された第２のコンテンツが再生された際に想起する時代や記憶がユーザ毎に異なることが想定される。
【０１０５】
そこで、本開示の第２の実施形態では、個人が関心を持った時期（パーソナライズされた流行時期）を推定し、メタデータとしてコンテンツに関連付ける場合について具体的に説明する。以下、図９および図１０を参照して具体的に説明する。
【０１０６】
（２−２−１．コンテンツ提供の概要）
図９は、第２の実施形態によるコンテンツ提供の概要を説明するための図である。図９に示すように、本実施形態によるスマートフォン１’は、例えば第１のコンテンツとして写真画像Ｐ５を表示部１３に表示している際に、写真画像Ｐ５の撮影時期にユーザ個人が関心を持ってよく聞いていた曲Ｑ５を第２のコンテンツとして抽出する。本実施形態では、世間一般の流行時期ではなく、ユーザ個人にパーソナライズされた流行時期に基づいて第２のコンテンツを抽出することで、より確実に当時の記憶を想起させ得るコンテンツを抽出することができる。
【０１０７】
（２−２−２．スマートフォンの内部構成例）
次に、本実施形態によるスマートフォン１’の構成について図１０を参照して説明する。図１０は、第２の実施形態によるスマートフォン１’の内部構成例を示すブロック図である。図１０に示すように、スマートフォン１’は、制御部１０’、通信部１２、表示部１３、操作入力部１４、スピーカ１５、記憶部１６、ライフログＤＢ１７Ａ、および視聴履歴ＤＢ１７Ｂを有する。通信部１２、表示部１３、操作入力部１４、スピーカ１５、および記憶部１６は、図３を参照して説明した第１の実施形態による同構成と同様であるので、ここでの説明は省略する。
【０１０８】
制御部１０’は、スマートフォン１’の各構成に指令を出してスマートフォン１’全体を制御する。具体的には、図１０に示すように、制御部１０’は、第１コンテンツ特定部１１０、時期特定部１２０、抽出部１３０’、再生制御部１４０、コンテンツ特定部１５０、時期推定部１６０、およびメタデータ生成部１７０として機能する。
【０１０９】
コンテンツ特定部１５０は、流行時期の関連付け処理（メタデータ生成処理）の対象とする第１のコンテンツを特定する。具体的な処理は、第１の実施形態によるコンテンツ特定部２１０と同様である。
【０１１０】
時期推定部１６０は、コンテンツ特定部１５０により特定されたコンテンツに対する個人の流行時期（パーソナライズされた流行時期）を推定する。なお、本明細書において、個人の流行時期とは、個人が当該コンテンツに関心を持って夢中になっていた時期を示す。また、コンテンツがニュースの場合は、個人の流行時期を個人の注目時期とも称す。個人の流行時期は、例えば個人のライフログや、視聴履歴、購入履歴等に基づいて推定される。時期推定部１６０は、楽曲、映像、ゲーム、ニュース、遊び、玩具、流行語、商品、ファッション等に対する個人の流行時期や注目時期を推定する。
【０１１１】
具体的には、時期推定部１６０は、楽曲、映像、ゲームに対するユーザ個人の流行時期について、視聴履歴ＤＢ１７Ｂに格納されている視聴履歴に基づき、例えば視聴回数が所定の回数以上であって、最も多かった時期を個人の流行時期として推定してもよい。また、時期推定部１６０は、視聴回数が所定値を下回る場合は、個人の流行時期なしとして、メタデータ生成の処理を終了してもよい。なお時期推定部１６０は、楽曲、映像が流行した時期について、ユーザにより録音、録画された回数を示す記録回数情報や、録音、録画に割かれた時間を示す記録時間情報に基づいて推定することも可能である。
【０１１２】
また、時期推定部１６０は、ニュースに対するユーザ個人の注目時期について、視聴履歴ＤＢ１７Ｂに格納されている閲覧有無や閲覧時の時間に基づき、閲覧が有った場合や閲覧時間が所定時間より長かった場合に、当該ニュースの閲覧時期を個人の注目時期として推定してもよい。また、時期推定部１６０は、当該ニュースに対してユーザが肯定的な意思を示した履歴があった場合（肯定的な意思を示すボタンが選択されていた場合）、当該ニュースの閲覧時期を個人の注目時期として推定してもよい。また、時期推定部１６０は、ライフログＤＢ１７Ａに格納されているユーザの生体情報に基づいて、当該ニュースを閲覧しているときのユーザの集中度が所定値以上の場合、当該ニュースの閲覧時期を個人の注目時期として推定してもよい。
【０１１３】
また、時期推定部１６０は、遊びに対するユーザ個人の流行時期について、ライフログＤＢ１７Ａに格納されているライフログ（音声データ、撮影画像データ、又は電子日記データ等）に基づき、所定の遊びの登場頻度（記録回数）が最も多い年を当該遊びに対する個人の流行時期として推定してもよい。
【０１１４】
また、時期推定部１６０は、玩具に対するユーザ個人の流行時期について、ユーザの購入履歴情報に基づき、所定の玩具を購入した時期を当該玩具に対する個人の流行時期として推定してもよい。
【０１１５】
また、時期推定部１６０は、所定のキーワードに対するユーザ個人の流行時期について、ライフログＤＢ１７Ａに格納されているライフログに基づき、所定のキーワードの登場頻度が最も多い年を当該キーワードに対する個人の流行時期として推定してもよい。
【０１１６】
また、時期推定部１６０は、商品に対するユーザ個人の流行時期について、ユーザの購入履歴情報に基づき、所定の商品を購入した時期を当該商品に対する個人の流行時期として推定してもよい。
【０１１７】
また、時期推定部１６０は、ファッションに対するユーザ個人の流行時期について、ユーザの購入履歴情報に基づき、所定のファッションアイテムを購入した時期を当該ファッションに対する個人の流行時期として推定してもよい。また、時期推定部１６０は、ユーザの撮影画像データ（写真やビデオ）情報に基づき、所定のファッションアイテムの登場頻度（撮影回数）が最も多い時期を、当該ファッションに対する個人の流行時期として推定してもよい。なおファッションアイテムとは、ファッション小物（メガネ、帽子、靴、ストール、ネックレス、ピアス等）の他、衣服（コート、スカート、ズボン、ブラウス等）を含む。
【０１１８】
以上、時期推定部１６０による具体的な流行時期の推定方法について説明した。なお、本実施形態による時期推定部１６０は、推定を行う際に利用したデータの種別（ライフログか視聴履歴か等）やデータの信頼性等に基づいて、推定した流行時期に重み付けを行ってもよい。
【０１１９】
また、時期推定部１６０は、ユーザのコンテンツ視聴時に、ユーザに装着されたＨＭＤ（ヘッドマウントディスプレイ）等から検出されたユーザの生体情報（血圧、心拍数、発汗量、脈波、脳波等）に基づいて重み付けされた視聴回数や閲覧時間に基づいて、ユーザ個人の流行時期を推定してもよい。
【０１２０】
メタデータ生成部１７０は、時期推定部１６０により推定されたユーザ個人の流行時期をメタデータとして特定されたコンテンツ（第２のコンテンツ）に関連付ける処理を行う。この際、メタデータ生成部１７０は、個人の流行時期と共に、根拠とした視聴回数等もメタデータとして関連付けてもよい。また、メタデータ生成部１７０は、個人の流行時期をメタデータとして関連付けたコンテンツを記憶部１６に格納する。
【０１２１】
第１コンテンツ特定部１１０、時期特定部１２０、および再生制御部１４０は、図３を参照して説明した第１の実施形態による同構成と同様であるので、ここでの説明は省略する。
【０１２２】
また、本実施形態による抽出部１３０’は、時期特定部１２０により特定された時期にユーザ個人が関心を持っていた第２のコンテンツを抽出する。第２のコンテンツは、例えば記憶部１６から抽出される。上述したように、記憶部１６には、メタデータ生成部１７０により個人の流行時期がメタデータとして関連付けられた第２のコンテンツが予め記憶されている。本実施形態による抽出部１３０’は、時期特定部１２０により特定された時期と重複する個人の流行時期がメタデータとして関連付けられている第２のコンテンツを抽出する。
【０１２３】
ライフログＤＢ（データベース）１７Ａは、ユーザのライフログを格納する記憶部である。ライフログとは、人間の様々な行いが電子データとして記録されたものである。より具体的には、ライフログは、例えばユーザの日々の生体情報（血圧、心拍数、発汗量、脈波、脳波等）、ユーザの音声データ、ユーザの周囲を撮影した撮影画像データ、またはユーザにより入力された電子日記データ等であってもよい。
【０１２４】
これらのライフログは、スマートフォン１’に設けられたカメラ（不図示）やマイクロホン（不図示）、操作入力部１４等から取得されてもよいし、ユーザに装着されたウェアラブル装置から取得されてもよい。ウェアラブル装置は、カメラやマイクロホン、生体情報検出部等を有する装置であって、例えばメガネ型ＨＭＤ（ヘッドマウントディスプレイ）であってもよい。メガネ型ＨＭＤとは、ユーザの頭部または顔部に装着された時にユーザの眼の直前に配置される表示部が透過制御可能なデバイスを有するＨＭＤであって、表示部が透過状態または半透過状態に制御されることで、ユーザはメガネのように常に装着しながら日常生活を行うことが可能である。
【０１２５】
視聴履歴ＤＢ（データベース）１７Ｂは、ユーザによるコンテンツの視聴履歴情報を格納する記憶部である。視聴履歴情報は、例えば制御部１０’により表示部１３で再生された映画、写真画像、またはニュース記事等の閲覧時間や閲覧回数等が算出され、視聴履歴ＤＢ１７Ｂに格納されてもよい。また、制御部１０’によりスピーカ１５で再生された音楽の再生回数や再生時間が算出され、視聴履歴情報として視聴履歴ＤＢ１７Ｂに格納されてもよい。さらに、視聴履歴ＤＢ１７Ｂには、通信部１２により外部装置から受信したユーザによるコンテンツの視聴履歴情報が格納されていてもよい。
【０１２６】
以上説明した構成により、本実施形態によるスマートフォン１’は、パーソナライズされた流行時期に基づいて第２のコンテンツを抽出することで、より確実に当時の記憶を想起させ得るコンテンツを抽出することができる。
【０１２７】
（２−２−３．変形例）
次に、上述した第２の実施形態の変形例として、ユーザが複数居る場合について説明する。なお、本変形例では、第２のコンテンツに、各ユーザの流行時期が各々メタデータとして関連付けられていることを想定する。
【０１２８】
ユーザが複数の場合、スマートフォン１’の抽出部１３０’は、第１のコンテンツに対応する時期に各ユーザが関心を持っていた第２のコンテンツを各々抽出する。具体的には、例えば抽出部１３０’は、ユーザａの流行時期に基づく第２のコンテンツａと、ユーザｂの流行時期に基づく第２のコンテンツｂとを抽出する。そして、再生制御部１４０は、ユーザ毎に抽出された各第２のコンテンツ、すなわち第２のコンテンツａと第２のコンテンツｂを交互に再生するよう制御する。
【０１２９】
若しくは、ユーザが複数の場合、スマートフォン１’の抽出部１３０’は、第１のコンテンツに対応する時期に両ユーザが関心を持っていた第２のコンテンツを抽出してもよい。具体的には、例えば抽出部１３０’は、ユーザａの流行時期およびユーザｂの流行時期に基づいて、第１のコンテンツに対応する時期と重複する両ユーザの流行時期が関連付けられている第２のコンテンツｃを抽出する。そして、再生制御部１４０は、第１のコンテンツに対応する時期に両ユーザに共通して関心を持っていた第２のコンテンツ、すなわち第２のコンテンツｃを再生するよう制御する。このように、本実施形態による抽出部１３０’は、各ユーザの流行時期をマージ（正規化）して第２のコンテンツを抽出することも可能である。
【０１３０】
＜＜３．まとめ＞＞
上述したように、本実施形態によれば、コンテンツに対して世間一般または個人の関心が持たれた時期（流行時期）を推定し、推定した時期をメタデータとしてコンテンツに関連付けて生成することで、所定の時代や記憶を想起させるためのコンテンツを提供することができる。
【０１３１】
また、本実施形態によれば、ユーザが視聴／選択した第１のコンテンツに対応する時期（例えば撮影日、公開日等）に基づいて、当該時期に流行していた第２のコンテンツを抽出し、再生する。これにより、ユーザは、視聴／選択した第１のコンテンツに対応する時期の記憶が想起され、臨場感や懐かしさを感じることができる。
【０１３２】
また、本実施形態によれば、パーソナライズされた流行時期に基づいて第２のコンテンツを抽出することで、より確実に当時の記憶を想起させ得るコンテンツを抽出することができる。
【０１３３】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３４】
例えば、スマートフォン１、１’、またはデータ生成サーバ２に内蔵されるＣＰＵ、ＲＯＭ、およびＲＡＭ等のハードウェアに、上述したスマートフォン１、１’、またはデータ生成サーバ２の機能を発揮させるためのコンピュータプログラムも作成可能である。また、当該コンピュータプログラムを記憶させたコンピュータ読み取り可能な記憶媒体も提供される。
【０１３５】
また、上述した各実施形態では、流行時期をメタデータとしてコンテンツデータに関連付け、メタデータとコンテンツデータを併せてコンテンツＤＢ２４又は記憶部１６に格納する旨を述べたが、本実施形態による格納方法はこれに限定されない。例えば、本開示によるコンテンツ提供システムは、流行時期を含むメタデータとコンテンツデータを別々の場所に格納してもよい。
【０１３６】
例えば、本実施形態によるコンテンツ提供システムは、スマートフォン１の記憶部１６が、コンテンツの名称や格納場所等と対応付けたメタデータを格納し、外部装置がコンテンツを格納してもよい。この場合、スマートフォン１の抽出部１３０は、必要に応じて外部装置からコンテンツ（第２のコンテンツ）を取得する。
【０１３７】
また、本実施形態によるコンテンツ提供システムは、スマートフォン１の記憶部１６がコンテンツを格納し、データ生成サーバ２が、コンテンツの名称や格納場所等と対応付けたメタデータを格納してもよい。この場合、スマートフォン１の抽出部１３０は、必要に応じてデータ生成サーバ２からメタデータを取得し、当該メタデータに基づいて、記憶部１６からコンテンツ（第２のコンテンツ）を抽出する。
【０１３８】
なお、本技術は以下のような構成も取ることができる。
（１）
コンテンツを特定するコンテンツ特定部と、
前記コンテンツ特定部により特定されたコンテンツに対して関心が持たれた時期を推定する時期推定部と、
前記時期推定部により推定された時期をメタデータとして前記コンテンツに関連付けるメタデータ生成部と、
を備える、データ生成装置。
（２）
前記時期推定部は、世間一般または個人の関心が示される情報に基づいて、前記時期を推定する、前記（１）に記載のデータ生成装置。
（３）
前記世間一般または個人の関心が示される情報は、ランキング情報、再生回数情報、記録回数情報、再生時間情報、記録時間情報、放送時間情報、閲覧回数情報、雑誌掲載回数情報、ニュース情報、ライフログ情報、視聴履歴情報、または購入記録情報の少なくともいずれかである、前記（２）に記載のデータ生成装置。
（４）
前記時期推定部は、所定のランキング情報に基づいて、前記コンテンツに対して世間一般が関心を持った時期を推定する、前記（１）に記載のデータ生成装置。
（５）
前記時期推定部は、特定のユーザのコンテンツ視聴履歴、コンテンツ記録履歴、ライフログ、または購入履歴の少なくともいずれかに基づいて、前記コンテンツに対して当該ユーザが関心を持った時期を推定する、前記（１）に記載のデータ生成装置。
（６）
前記メタデータ生成部は、前記関心が持たれた時期が新たに推定された場合、第２の関心が持たれた時期として前記コンテンツに関連付ける、前記（１）〜（５）のいずれか１項に記載のデータ生成装置。
（７）
第１のコンテンツを特定するコンテンツ特定部と、
前記第１のコンテンツに対応する時期を特定する時期特定部と、
関心が持たれた時期が関連付けられた第２のコンテンツのうち、前記時期特定部により特定された時期と重複する時期が関連付けられている前記第２のコンテンツを抽出するコンテンツ抽出部と、
前記コンテンツ抽出部により抽出された前記第２のコンテンツを再生するコンテンツ再生部と、
を備える、コンテンツ再生装置。
（８）
前記コンテンツ再生部は、前記第１のコンテンツと前記第２のコンテンツを共に再生する、前記（７）に記載のコンテンツ再生装置。
（９）
前記時期特定部は、前記第１のコンテンツに対応する時期として、前記第１のコンテンツが取得、発売、または開催された時期を特定する、前記（７）または（８）に記載のコンテンツ再生装置。
（１０）
前記第２のコンテンツには、所定のランキング情報、再生回数情報、記録回数情報、再生時間情報、記録時間情報、閲覧回数情報、雑誌掲載回数情報、またはニュース情報の少なくともいずれかに基づいて、当該第２のコンテンツに対して世間一般が関心を持った時期がメタデータとして関連付けられている、前記（７）〜（９）のいずれか１項に記載のコンテンツ再生装置。
（１１）
前記第２のコンテンツには、特定のユーザのコンテンツ視聴履歴、コンテンツ記録履歴、ライフログ、または購入履歴の少なくともいずれかに基づいて、当該第２のコンテンツに対して当該ユーザが関心を持った時期がメタデータとして関連付けられている、前記（７）〜（９）のいずれか１項に記載のコンテンツ再生装置。
（１２）
コンピュータを、
コンテンツを特定するコンテンツ特定部と、
前記コンテンツ特定部により特定されたコンテンツに対して関心が持たれた時期を推定する時期推定部と、
前記時期推定部により推定された時期をメタデータとして前記コンテンツに関連付けるメタデータ生成部と、
として機能させるためのプログラムが記憶された記憶媒体。
（１３）
コンピュータを、
第１のコンテンツを特定するコンテンツ特定部と、
前記第１のコンテンツに対応する時期を特定する時期特定部と、
関心が持たれた時期が関連付けられた第２のコンテンツのうち、前記時期特定部により特定された時期と重複する時期が関連付けられている前記第２のコンテンツを抽出するコンテンツ抽出部と、
前記コンテンツ抽出部により抽出された前記第２のコンテンツを再生するコンテンツ再生部と、
として機能させるためのプログラムが記憶された記憶媒体。
【符号の説明】
【０１３９】
１、１’    スマートフォン
２    データ生成サーバ
３    ネットワーク
４    基地局
７    アバター
１０、１０’    制御部
１２    通信部
１３    表示部
１４    操作入力部
１５    スピーカ
１６    記憶部
２０    データ生成部
２２    通信部
１１０    第１コンテンツ特定部
１２０    時期特定部
１３０、１３０’    抽出部
１４０    再生制御部
１５０、２１０    コンテンツ特定部
１６０、２３０    時期推定部
１７０、２５０    メタデータ生成部
【図１】
2014142876.tif 000003
【図２】
2014142876.tif 000004
【図３】
2014142876.tif 000005
【図４】
2014142876.tif 000006
【図５】
2014142876.tif 000007
【図６】
2014142876.tif 000008
【図７】
2014142876.tif 000009
【図８】
2014142876.tif 000010
【図９】
2014142876.tif 000011
【図１０】
2014142876.tif 000012